(57)【要約】【課題】基準となるバージョンに対し、基準バージョンよりも古い複数のバージョンの設定画面も表示できるようにし、使用者の操作性を低下させない。【解決手段】表示装置は、基準バージョンと、基準バージョンよりも古い２つ以上のバージョンで、機能を設定するための設定画面の画像データを記憶するメモリと、設定入力を受け付けるための入力部と、画像データに基づいて設定画面を表示する表示部と、表示する設定画面のバージョンの切替を行うための切替キーと、を有する。【選択図】図３
2011114847.tif 000002
【特許請求の範囲】
【請求項１】
基準バージョンと、前記基準バージョンよりも古い２つ以上のバージョンで、機能を設定するための設定画面の画像データを記憶するメモリと、
設定入力を受け付けるための入力部と、
前記画像データに基づいて設定画面を表示する表示部と、
表示する設定画面のバージョンの切替を行うための切替キーと、を有することを特徴とする表示装置。
【請求項２】
前記基準バージョンよりも古いバージョンの設定画面を用いて前記入力部に設定入力がなされた場合、
前記メモリは、古いバージョンの設定画面を用いて設定された機能を記憶し、
前記表示部は、古いバージョンの設定画面を用いて設定された機能の前記基準バージョンでの設定方法を示すデモ表示を行うことを特徴とする請求項１記載の表示装置。
【請求項３】
前記表示部は、機能ごとに、バージョンを変えて表示することを特徴とする請求項１又は２に記載の表示装置。
【請求項４】
古いバージョンの設定画面で設定された機能が複数である場合、
前記表示部は、表示領域を分割し、複数の前記デモ表示を同時に表示することを特徴とする請求項２又は３に記載の表示装置。
【請求項５】
古いバージョンの設定画面で設定された機能が前記表示領域の分割数よりも多い場合、
前記表示部は、表示領域を分割して、複数の前記デモ表示を同時に表示するとともに、前記デモ表示が終わった表示領域で、まだ前記デモ表示を行っていない機能の前記デモ表示を行うことを特徴とする請求項４記載の表示装置。
【請求項６】
前記デモ表示を中断させるための中断キーが、前記表示部に表示され、
前記中断キーが押下された場合、前記表示部は、前記デモ表示を中断することを特徴とする請求項２乃至５のいずれか項に記載の表示装置。
【請求項７】
前記メモリは、機能ごとに前記デモ表示を行った累計回数を記憶し、
前記表示部は、予め定められた上限回数まで前記デモ表示が行われた機能の前記デモ表示を行わないことを特徴とする請求項２乃至６の何れか１項に記載の表示装置。
【請求項８】
前記表示部は、前記デモ表示を行うか否かを設定するためのキーを表示するとともに、前記デモ表示を行う設定が前記入力部になされた場合にのみ前記デモ表示を行うことを特徴とする請求項２乃至７のいずれか１項に記載の表示装置。
【請求項９】
前記メモリは、機能ごとに前記デモ表示を行った累計回数を記憶し、
前記表示部は、予め定められた上限回数まで前記デモ表示を行った機能について、前記デモ表示を続けて行うか否かの確認を行うためのキーを表示し、前記デモ表示を行わない設定が前記入力部になされたとき、予め定められた上限回数まで前記デモ表示が行われた機能の前記デモ表示を行わないことを特徴とする請求項２乃至８の何れか１項に記載の表示装置。
【請求項１０】
前記メモリは、それぞれのバージョンで、機能が設定された回数を記憶し、
１つのバージョンでの同一の機能の設定回数が、予め定められたバージョンアップ回数に到った場合、
前記表示部は、前記バージョンアップ回数に到った機能については、次の機能設定時、直前の設定時よりも新しいバージョンの設定画面を表示することを特徴とする請求項１乃至９のいずれか１項に記載の表示装置。
【請求項１１】
前記入力部に設定の入力がなされてから、次に前記入力部に設定の入力がなされるまでの時間を計時する計時部を有し、
前記表示部は、先の設定入力から、次の設定入力がなされないままの状態が、予め定められた限界時間を超えた機能については、次の設定時、現在のバージョンよりも古いバージョンに切り替えて表示を行うことを特徴とする請求項１乃至１０のいずれか１項に記載の表示装置。
【請求項１２】
前記入力部は、前記設定画面に表示され、押下されたキーを特定するためのタッチパネルであり、前記切替キーは、前記表示部に表示され、又は、前記表示部とは別に設けられることを特徴とする請求項１乃至１１のいずれか１項に記載の表示装置。
【請求項１３】
前記入力部は、使用者を特定するための認証情報の入力を受け付け、
前記メモリは、使用者ごとに、表示するバージョンと前記デモ表示の必要性の有無を記憶することを特徴とする請求項２乃至１２に記載の表示装置。
【請求項１４】
請求項１乃至請求項１３記載の表示装置を備えることを特徴とする画像形成装置。
【請求項１５】
前記デモ表示は、印刷中になされることを特徴とする請求項１４記載の画像形成装置。
【発明の詳細な説明】
【技術分野】
【０００１】
本発明は、表示画面等の表示部と、タッチパネル等の入力部を有する表示装置、及び、これを備えた複写機、複合機、プリンタ、ＦＡＸ装置等の画像形成装置に関する。
【背景技術】
【０００２】
近年の画像形成装置等には、設定入力用の設定画面を表示し、使用者からの設定を受け付ける表示装置（例えば、操作パネル）が設けられる場合がある。例えば、画像形成装置の製造会社の場合、新技術や改良を反映させた新機種を市場に投入する。このとき、機能追加や、設定画面を表示する部分の性能向上（解像度向上や色数の変化等）などの理由で、新機種の設定画面は、旧機種のものとデザインが変化する場合がある。又、新たなバージョンの設定画面の画像データの入力により（例えば、ネットワーク経由）、同じ機械でも設定画面のバージョンアップがなされる場合がある。しかし、バージョンが異なり、設定画面のデザインが変わると、旧機種から新機種への買い換え等を行った使用者は、新しい設定方法に慣れることから始めなくてはならず、使用者にとっての操作性は低下する。
【０００３】
そして、バージョンアップによるデザインの変更のため、新バージョンでの設定方法の習得を容易とするための発明が特許文献１に記載されている。具体的に、特許文献１には、アプリケーションを実行し、実行結果を表示手段に表示し、第１のバージョンにおける注目アプリケーションのインターフェース画面を表示手段に表示する第１の処理手段と、第１のバージョンよりも古いバージョンである第２のバージョンにおける注目アプリケーションのインターフェース画面を表示手段に表示する第２の処理手段と、第１の処理手段により表示手段に表示されたインターフェース画面にて操作を行ったことにより当該インターフェース画面にて表示変更部分がある場合には、第２の処理手段により表示手段に表示されたインターフェース画面にて表示変更部分に対応する部分の表示を変更させる表示変更手段と備える情報処理装置が記載されている（特許文献１：請求項１、図４等参照）。
【先行技術文献】
【特許文献】
【０００４】
【特許文献１】特開２００６−０３１１８９
【発明の開示】
【発明が解決しようとする課題】
【０００５】
まず、例えば、画像形成装置に取り付けられる操作パネルの表示部など、表示部のサイズに制限がある表示装置も存在する。そして、このような比較的（例えば、ＰＣのディスプレイと比較して）、表示領域が狭い表示装置では、例えば、使用者の新バージョンでの慣れを図るため、新バージョンと旧バージョンの設定画面を並列して表示させる場合がある。しかし、表示部のサイズに制限がある表示装置で並列表示を行うと、１バージョンあたりの設定画面が小さくなりすぎる。そうすると、かえって使用者の操作性を低下させてしまうという問題がある（例えば、設定用のキーが小さい、見にくい等）。
【０００６】
特許文献１記載の発明における情報処理装置は、パーソナルコンピュータ（ＰＣ）やワークステーションであり、表示装置は、ＣＲＴや液晶画面である（特許文献１：段落［００１６］や［００２１］、図４等参照）。一般に、ＰＣ等では、複数のウィンドウを並列して表示することが通常である。液晶画面等は、新バージョンと旧バージョンの設定画面を並列しても操作性が低下しない程度のサイズを有する。そうすると、特許文献１記載の発明は、新バージョンと旧バージョンの設定画面を並列して表示した場合、各バージョンでの設定画面が小さくなりすぎ、かえって使用者の操作性を低下させるという問題を考慮する必要性がない。現に、上記問題点に言及した記載はない。従って、特許文献１記載の発明では、上記問題を解決することはできない。
【０００７】
本発明は、上記従来技術の問題点に鑑みてなされたものであり、基準となるバージョンに対し、基準バージョンよりも古い複数のバージョンの設定画面も表示できるようにし、使用者の操作性を低下させないことを課題とする。
【課題を解決するための手段】
【０００８】
上記課題解決のため請求項１に係る表示装置は、基準バージョンと、前記基準バージョンよりも古い２つ以上のバージョンで、機能を設定するための設定画面の画像データを記憶するメモリと、設定入力を受け付けるための入力部と、前記画像データに基づいて設定画面を表示する表示部と、表示する設定画面のバージョンの切替を行うための切替キーとを有することとした。
【０００９】
この構成によれば、表示する設定画面のバージョンの切替を行うための切替キーを有するので、基準バージョンよりも古いバージョンの設定画面を容易に表示させることができる。従って、使用者が新しい基準バージョンでの設定方法に慣れていなくても、使用者は旧バージョンの設定画面により各種設定を行うことができる。これにより、使用者の操作性低下を防ぐことができる。
【００１０】
又、例えば、使用者には、１世代前の機種を使用していた者もいれば、２世代前、３世代前の機種を使用していた者もおり多様であるところ、本発明の構成によれば、基準バージョンに対し、複数種の旧バージョンでの設定画面を表示させることができる。これにより、使用者が交換前に使用していた機種や製造年代を問わず、時間的に幅広く使用者の操作性低下を防ぐことができる。尚、例えば、基準バージョンは、使用している機種の最新バージョンであっても良い（例えば、バージョンアップがあれば、バージョンアップ後）のバージョンとしてもよい。
【００１１】
又、請求項２に係る発明は、請求項１の発明において、前記基準バージョンよりも古いバージョンの設定画面を用いて前記入力部に設定入力がなされた場合、前記メモリは、古いバージョンの設定画面を用いて設定された機能を記憶し、前記表示部は、古いバージョンの設定画面を用いて設定された機能の前記基準バージョンでの設定方法を示すデモ表示を行うこととした。
【００１２】
この構成によれば、基準バージョンでの設定方法を示すデモ表示が行われるので、基準バージョンでの操作を学ぶことができる。これにより、使用者の基準バージョンでの設定方法を慣れさせることができ、基準バージョンでの操作性が高められる。
【００１３】
又、請求項３に係る発明は、請求項１又は２の発明において、前記表示部は、機能ごとに、バージョンを変えて表示することとした。
【００１４】
この構成によれば、機能ごとに、バージョンを変えて表示できるので、未だ慣れていない機能については旧バージョン、既に慣れた機能については基準バージョンというように、使用者の慣れた度合を考慮しつつ表示部で設定画面の表示を行うことができる。これにより、使用者の操作性の低下を招くことなく、基準バージョンへの移行を行うことができる。
【００１５】
又、請求項４に係る発明は、請求項２又は３の発明において、古いバージョンの設定画面で設定された機能が複数である場合、前記表示部は、表示領域を分割し、複数の前記デモ表示を同時に表示することとした。
【００１６】
表示すべきデモ表示が多数の場合、１つの機能ごとにデモ表示を行えば、全てのデモ表示が終わるまで時間を要するところ、この構成によれば、表示部は、表示領域を分割し、複数のデモ表示を同時に表示する。これにより、使用者は、効率よくデモ表示を確認して、効率よく学習でき、デモ表示の閲覧に要する時間を少なくすることができる。。
【００１７】
又、請求項５に係る発明は、請求項４の発明において、古いバージョンの設定画面で設定された機能が前記表示領域の分割数よりも多い場合、前記表示部は、表示領域を分割して、複数の前記デモ表示を同時に表示するとともに、前記デモ表示が終わった表示領域で、まだ前記デモ表示を行っていない機能の前記デモ表示を行うこととした。
【００１８】
この構成によれば、デモ表示が終わった領域で、まだデモ表示を行っていない機能のデモ表示が行われるので、効率よく多数のデモ表示が行われる。これにより、使用者は、効率よくデモ表示を確認して、効率よく学習でき、デモ表示の閲覧に要する時間を少なくすることができる。
【００１９】
又、請求項６に係る発明は、請求項２乃至５の発明において、前記デモ表示を中断させるための中断キーが、前記表示部に表示され、前記中断キーが押下された場合、前記表示部は、前記デモ表示を中断することとした。
【００２０】
この構成によれば、デモ表示を中断させるための中断キーが設けられるので、デモ表示を表示させないようにすることができる。これにより、デモ表示を不要と感じている使用者が煩わしさを感じないようにすることができる。又、デモ表示を中断して、次のジョブ等の設定に速やかに移行でき、使用者はデモ表示終了まで待たなくて済む。。
【００２１】
又、請求項７に係る発明は、請求項２乃至６の発明において、前記メモリは、機能ごとに前記デモ表示を行った累計回数を記憶し、前記表示部は、予め定められた上限回数まで前記デモ表示が行われた機能の前記デモ表示を行わないこととした。
【００２２】
この構成によれば、表示部は、予め定められた上限回数まで前記デモ表示が行われた機能については、デモ表示を行わないので、使用者が学習したと認められる機能でのデモ表示を自動的に停止させることができる。これにより、使用者は、既に慣れた機能のデモ表示が表示されるたびに停止させる入力等を行う必要が無くなる。
【００２３】
又、請求項８に係る発明は、請求項２乃至７の発明において、前記表示部は、前記デモ表示を行うか否かを設定するためのキーを表示するとともに、前記デモ表示を行う設定が前記入力部になされた場合にのみ前記デモ表示を行うこととした。
【００２４】
この構成によれば、デモ表示を行うか否かを設定することができるので、デモ表示について使用者の意思を反映させることができる。デモ表示を希望する使用者は、デモ表示を行う設定を行い、デモ表示を煩わしい等の理由で希望しない使用者はデモ表示を行わない設定とすればよい。
【００２５】
又、請求項９に係る発明は、請求項２乃至８の発明において、前記メモリは、機能ごとに前記デモ表示を行った累計回数を記憶し、前記表示部は、予め定められた上限回数まで前記デモ表示を行った機能について、前記デモ表示を続けて行うか否かの確認を行うためのキーを表示し、前記デモ表示を行わない設定が前記入力部になされたとき、予め定められた上限回数まで前記デモ表示が行われた機能の前記デモ表示を行わないこととした。
【００２６】
この構成によれば、デモ表示を行わない設定が入力部になされたとき、予め定められた上限回数までデモ表示が行われた機能のデモ表示を行わないので、使用者の感覚に基づき、デモ表示を行うか否かを決定することができる。これにより、設定方法がわかりにくいと感じている機能についてのみ、デモ表示がなされ、使用者は、デモ表示が表示されるたびに停止させる入力等を行う必要が無くなる。
【００２７】
又、請求項１０に係る発明は、請求項１乃至９の発明において、前記メモリは、それぞれのバージョンで、機能が設定された回数を記憶し、１つのバージョンでの同一の機能の設定回数が、予め定められたバージョンアップ回数に到った場合、前記表示部は、前記バージョンアップ回数に到った機能については、次の機能設定時、直前の設定時よりも新しいバージョンの設定画面を表示することとした。
【００２８】
この構成によれば、表示部は、デモ停止回数に到った機能については、デモ停止回数に到ったバージョンよりも古いバージョンの設定画面は表示しない。これにより、自動的に基準バージョンへのバージョンアップが導かれるので、基準バージョンへの移行を自動的に進めることができる。
【００２９】
又、請求項１１に係る発明は、請求項１乃至１０の発明において、前記入力部に設定の入力がなされてから、次に前記入力部に設定の入力がなされるまでの時間を計時する計時部を有し、前記表示部は、先の設定入力から、次の設定入力がなされないままの状態が、予め定められた限界時間を超えた機能については、次の設定時、現在のバージョンよりも古いバージョンに切り替えて表示を行うこととした。
【００３０】
この構成によれば、先の設定入力から、次の設定入力がなされないままの状態が、予め定められた限界時間を超え、使用者が慣れておらず、設定に手間取っていると認められる場合、表示部は、現在のバージョンよりも古いバージョンに切り替えて表示を行う。これにより、自動的に使用者の慣れ度合を勘案して設定画面を切り替えることができる。例えば、基準バージョンでとまどっていると認められる場合、表示部は、基準バージョンよりも古いバージョンで表示を行う。
【００３１】
又、請求項１２に係る発明は、請求項１乃至１１の発明において、前記入力部は、前記設定画面に表示され、押下されたキーを特定するためのタッチパネルであり、前記切替キーは、前記表示部に表示され、又は、前記表示部とは別に設けられることとした。
【００３２】
この構成によれば、入力部は、設定画面に表示され、押下されたキーを特定するためのタッチパネルであり、切替キーは、表示部に表示され、又、表示部とは別に設けられる。このように切替キーによって、バージョンの切替を行うことができる。
【００３３】
又、請求項１３に係る発明は、請求項２乃至１２の発明において、前記入力部は、使用者を特定するための認証情報の入力を受け付け、前記メモリは、使用者ごとに、表示するバージョンと前記デモ表示の必要性の有無を記憶することとした。
【００３４】
この構成によれば、記憶部は、使用者ごとに、表示するバージョンとデモ表示の必要性の有無を記憶する。これにより、各使用者の操作、設定の慣れ度合に合わせて表示部での表示を行うことができる。
【００３５】
又、請求項１４に係る画像形成装置は、請求項１乃至請求項１３記載の表示装置を備えることとした。
【００３６】
この構成によれば、請求項１乃至請求項１４記載の表示装置を備えるので、たとえ画像形成装置が導入されて間もなくても、使用者はスムーズに設定を行え、操作性の低下のない画像形成装置を提供することができる。又、使用者は、基準バージョンへの速やかな移行を行うことができる。
【００３７】
又、請求項１５に係る発明は、請求項１４の発明において、前記デモ表示は、印刷中になされることとした。
【００３８】
この構成によれば、デモ表示は、印刷中になされるので、ジョブ印刷中の使用者の待ち時間になされる。従って、使用者の待ち時間を有意義なものとすることができる。
【発明の効果】
【００３９】
上述したように、本発明によれば、買い換え等が有り、設定画面のデザインや設定方法が変わっても、使用者の操作性は低下しない。従って、新しい設定方法、設定画面に慣れていなくても、速やかに各種機能の設定を行うことができる。又、デモ表示を行うので、新しい設定方法、設定画面に速く慣れることができる。
【図面の簡単な説明】
【００４０】
【図１】第１の実施形態に係る複合機の模型的正面断面図である。
【図２】第１の実施形態に係る操作パネルの一例を示す平面図である。
【図３】第１の実施形態に係る複合機の構成の一例を示すブロック図である。
【図４】第１の実施形態に係る設定画面の基準バージョンでの設定の一例を示す説明図である。
【図５】第１の実施形態に係る設定画面の基準バージョン以外のバージョンでの設定の一例を示す説明図である。
【図６】第１の実施形態に係る設定画面の基準バージョン以外のバージョンでの設定の一例を示す説明図である。
【図７】第１の実施形態に係る複合機でのデモ表示の一例を示す説明図である。
【図８】第１の実施形態に係る複合機でのデモ表示の一例を示す説明図である。
【図９】第１の実施形態に係る液晶表示部で表示されるバージョンを設定するための設定画面の一例を記す説明図である。
【図１０】第１の実施形態に係る操作パネルでの表示制御の一例を示すフローチャートである。
【図１１】第２の実施形態に係る液晶表示部で表示されるバージョンを設定するための設定画面の一例を記す説明図である。
【図１２】（ａ）は、第３の実施形態に係る複合機を利用する使用者を特定するための認証画面の一例であり、（ｂ）は、第３の実施形態に係る液晶表示部で表示されるバージョンを設定するための設定画面の一例を記す説明図である。
【発明を実施するための形態】
【００４１】
以下、本発明の第１の実施形態を図１〜１０を参照しつつ説明する。ここで、本発明は、各種表示装置に適用可能であるが、表示装置として操作パネル１を例に挙げ、複合機１００（画像形成装置に相当）に取り付けられた場合を例に挙げて説明する。但し、本実施の形態に記載されている構成、配置等の各要素は、発明の範囲を限定するものではなく単なる説明例にすぎない。
【００４２】
（複合機１００の概略構成）
まず、図１に基づき、本発明の第１の実施形態に係る複合機１００の概略を説明する。図１は、本発明の第１の実施形態に係る複合機１００の模型的正面断面図である。図１に示すように、本実施形態の複合機１００は、正面上方に機器（複合機１００）での機能設定のため、操作パネル１が接続、装着される。又、複合機１００は、最上部には原稿を抑えるための原稿カバー１０１が設けられる。複合機１００本体内には、画像読取部２、給紙部３、搬送路４、画像形成部５、定着部６等が設けられる。尚、操作パネル１の詳細は後述する。
【００４３】
原稿カバー１０１は、複写時、原稿台としての画像読取部２の上面に設けられたコンタクトガラス２１に載置された原稿を抑える。そのため、原稿カバー１０１は、図１の紙面奥側に支点を有し、上下方向に開閉可能である。
【００４４】
画像読取部２は、原稿を読み取り、原稿の画像データを生成する。画像読取部２の上面にコンタクトガラス２１が設けられる。又、画像読取部２内には露光ランプ、ミラー、レンズ、イメージセンサ（例えば、ＣＣＤ）等の光学系部材（不図示）が設けられる。そして、これら光学系部材を用い、コンタクトガラス２１に載置される原稿に光を照射する。その原稿の反射光を受けたイメージセンサからの各画素の出力値（例えば電圧値）をＡ／Ｄ変換し、画像データが生成される。そして、本実施形態の複合機１００は、読み取りにより得られた画像データに基づき印刷を行うことができる（コピー機能）。
【００４５】
給紙部３は、複数の用紙（例えば、コピー用紙、普通紙、再生紙、厚紙、ＯＨＰシート等の各種用紙）を収容する。給紙部３は、収納用紙が積載されるカセット３１、印刷時にカセット３１から１枚ずつ搬送路４に送り込むため回転駆動する給紙ローラ３２等を備える。例えば、印刷時、給紙ローラ３２が回転駆動し、画像形成に必要となる用紙が１枚ずつ搬送路４に送り出される。
【００４６】
搬送路４は、給紙部３から排出トレイ４１まで用紙を導く通路である。そして、搬送路４に、用紙の案内のためのガイド板４２や、用紙搬送時に回転駆動する搬送ローラ対４３や、搬送される用紙を画像形成部５の手前で待機させ、トナー像形成のタイミングを合わせ用紙を送り出すレジストローラ対４４等が設けられる。
【００４７】
画像形成部５は、画像データに基づきトナー像を形成し、搬送される用紙にトナー像を転写する。そのため、画像形成部５は、図１中に示す矢印方向に回転駆動可能に支持された感光体ドラム５１、及び、感光体ドラム５１の周囲に配設された帯電装置５２、露光装置５３、現像装置５４、転写ローラ５５、清掃装置５６等を備える。
【００４８】
トナー像形成及び転写プロセスを説明する。まず、所定方向に回転駆動する感光体ドラム５１が、画像形成部５の略中心に設けられる。図１において、感光体ドラム５１の右斜上方の帯電装置５２が所定電位に感光体ドラム５１を帯電させる。露光装置５３は、図１において、帯電装置５２の右側方に設けられる。露光装置５３は、画像データに基づき、レーザ光Ｌを出力し、感光体ドラム５１表面を走査露光して画像データに応じた静電潜像を形成する。尚、画像データは、画像読取部２で得られたものや、ネットワーク等により接続される外部のコンピュータ２００や相手方ＦＡＸ装置３００（図３参照）から送信された画像データ等が用いられる。
【００４９】
更に、図１において、感光体ドラム５１の右斜下方の現像装置５４は、感光体ドラム５１に形成された静電潜像にトナーを供給して現像する。感光体ドラム５１の左方の転写ローラ５５は感光体ドラム５１に圧接し、ニップを形成する。そして、トナー像にあわせ、レジストローラ対４４がタイミングを図り、用紙をニップに進入させる。用紙とトナー像のニップ進入時、転写ローラ５５には所定の電圧が印加され、用紙に感光体ドラム５１上のトナー像が転写される。清掃装置５６は、転写後に感光体ドラム５１に残留するトナー等を除去する。
【００５０】
定着部６は、用紙に転写されたトナー像を定着させる。本実施形態における定着部６は、主として発熱体を内蔵する加熱ローラ６１と加圧ローラ６２で構成される。加熱ローラ６１と加圧ローラ６２は圧接しニップを形成する。そして、用紙が、このニップを通過することで、用紙表面のトナーが溶融・加熱され、トナー像が用紙に定着する。トナー定着後の用紙は、排出トレイ４１が受け止める。このようにして、コピー機能、プリンタ機能の利用時、画像形成（印刷）が行われる。
【００５１】
（操作パネル１の概略）
次に、図１及び図２に基づき、本発明の第１の実施形態に係る操作パネル１を説明する。図２は、本発明の第１の実施形態に係る操作パネル１の一例を示す平面図である。
【００５２】
図１及び図２に示すように、複合機１００の正面上方に設けられる操作パネル１は、複合機１００の状態や各種メッセージを表示する液晶表示部７（表示部に相当）を備える。液晶表示部７は、機能の選択、設定を行うためのキーを１又は複数表示することができる（図４等参照）。又、液晶表示部７の上面に透明なタッチパネル部７０（入力部に相当）が設けられ、タッチパネル部７０は、使用者が液晶表示部７に押下した部分の位置、座標を検出するためのものである。
【００５３】
尚、操作パネル１は、テンキー部１０（入力部に相当）やスタートキー１１（入力部に相当）も備える。又、コピー機能を利用する際に押下されるコピーキー１２（入力部に相当）、プリンタとして複合機１００を利用する際の各種設定を行う際に押下されるプリンタキー１３（入力部に相当）、スキャン機能を利用する際に押下されるスキャンキー１４（入力部に相当）、コピー機能を利用する際に押下されるＦＡＸキー１５（入力部に相当）等の入力、設定用のハードキー（入力部に相当）が設けられる。
【００５４】
このタッチパネル部７０を用いた検出座標と、液晶表示部７に示される各種キーの位置、座標を比較し、使用者が押下して選択したキーが特定される。このように、使用者は、液晶表示部７での表示とタッチパネル部７０で複合機１００の各機能について、各種設定、モード選択等を行うことができる。尚、タッチパネル部７０としては、抵抗膜方式、表面弾性波方式、赤外線方式、静電容量方式等、各方式のものを採用でき特に制限はない。
【００５５】
（複合機１００のハードウェア構成）
次に、図３に基づき、本発明の第１の実施形態に係る複合機１００のハードウェア構成について説明する。図３は、本発明の第１の実施形態に係る複合機１００の構成の一例を示すブロック図である。
【００５６】
複合機１００内には、制御部８が設けられ、制御部８は、複合機１００の動作を制御し、例えば、ＣＰＵ８１、画像処理部８２等から構成される。又、制御部８には、複合機１００の制御用プログラム、制御用データ、設定データ、画像データ等の各種データを記憶部８３が接続される。尚、記憶部８３は、ＲＯＭ、ＲＡＭ、ＨＤＤ等の不揮発性と揮発性の記憶装置を組み合わせて構成される。
【００５７】
ＣＰＵ８１は、中央演算処理装置であって、記憶部８３に格納され、展開される制御プログラムに基づき複合機１００の各部を制御する。画像処理部８２は、画像読取部２で読み取られた画像データや、印刷を行う画像データや、外部のコンピュータ２００や相手方のＦＡＸ装置３００に送信される画像データに対し、各種画像処理を施す。尚、図３では、制御部８は、１つとして図示しているが、制御部８は、全体制御や画像処理を行うメイン制御部と、各種回転体を回転させるモータ等のＯＮ／ＯＦＦ等を制御するエンジン制御部等、機能ごとに分割して複数種設けられてもよい。
【００５８】
そして、制御部８は、操作パネル１、画像読取部２、給紙部３、搬送路４、画像形成部５、定着部６、認証部８４等の各部と信号線等で接続され、複合機１００の動作を制御する。更に、制御部８は、各種コネクタ、ソケット等を備えたＩ／Ｆ部８５（インターフェイス部）と接続される。Ｉ／Ｆ部８５は、ネットワークや公衆回線等により複数の外部のコンピュータ２００（図３では便宜上１つのみ図示）や相手方のＦＡＸ装置３００と接続され、例えば、画像読取部２で得られた画像データを外部のコンピュータ２００や相手方ＦＡＸ装置３００（インターネットＦＡＸでもよい）に送信することができる（スキャナ機能、ＦＡＸ機能）。又、外部のコンピュータ２００や相手方ＦＡＸ装置３００から送信される画像データに基づき印刷、ＦＡＸ送信等を行うこともできる（プリンタ機能、ＦＡＸ機能）。
【００５９】
認証部８４は、複合機１００を利用する個人を特定し、複合機１００を利用させて良いか否かを認証する。そして、認証部８４には、複合機１００を利用しようとする者の認証情報（例えば、氏名、ＩＤ番号、パスワード、所属部署、利用できる機能を示す情報等）を取得するための読取部８６が設けられる。例えば、ＲＦＩＤのＩＣカードに認証情報が記憶される場合、読取部８６はＲＦＩＤのリーダライタとなる。又、磁気カードに各使用者の認証情報が記憶される場合、読取部８６は磁気カードのリーダライタとなる。
【００６０】
そして、認証部８４は、利用可能な使用者の全員分の認証情報を認証用データとして記憶し、読取部８６で取得された認証情報と、認証用データを比較し、使用者の特定等を行う。もし、認証用データの一部と取得された認証情報とが一致すれば、認証部８４は、制御部８に向けて複合機１００を利用させてよい旨のデータと、使用者を特定する情報を送信する。尚、複合機１００を利用する場合、例えば、操作パネル１にＩＤやパスワードの入力画面を表示し、入力されたＩＤやパスワードで使用者の特定がなされても良い。
【００６１】
（操作パネル１のハードウェア構成）
次に、本実施形態の操作パネル１の構成について説明する。
【００６２】
本実施形態の操作パネル１は、表示制御部９、メモリ９１、計時部９２、ドライバ回路９３、液晶表示部７、タッチパネル部７０を有する。表示制御部９は、ＣＰＵやＩＣ等で構成され、液晶表示部７の表示を制御し、タッチパネル部７０の出力を受け、液晶表示部７で押下された座標を特定する。タッチパネル部７０の出力と座標の対応を示すテーブル等のデータは、メモリ９１に記憶される。そして、表示制御部９は、押下位置の座標と、設定画面Ｓの画像データを比較する等により、設定画面Ｓ上で選択された（押下された）キーを特定する。又、計時部９２は、操作パネル１の制御上必要な時間を計時する。
【００６３】
具体的に、複合機１００の各機能を設定するには、液晶表示部７における最上層の表示から、設定画面Ｓ内のキーの選択を繰り返す。そして、各設定画面Ｓでキー選択ごとに、表示制御部９は、液晶表示部７の表示を切り換えさせ、最終的に、選択、設定しようとする機能の設定画面Ｓに辿り着く。この機能の選択、設定が行われたことを表示制御部９は認識し、その内容を本体の制御部８に送信する。これにより、操作パネル１で選択、設定された機能を反映した動作を制御部８が、画像形成部５等の各部に行わせ、使用者の意思が、印刷等において反映される（例えば、濃度設定や拡大縮小など）。
【００６４】
そして、液晶表示部７の表示する各設定画面Ｓの画像データは、例えば、操作パネル１内のメモリ９１に記憶される。従って、表示制御部９は、設定画面Ｓ中のキーが選択されるごとに、表示制御部９は、次に表示すべき画面の画像データをメモリ９１から読み出す。この画像データを受けて、表示制御部９は、液晶画面の表示を実際に制御するドライバ回路９３に指示を与える。尚、操作パネル１には、ドライバ回路９３や、液晶表示部７やタッチパネル部７０だけを設け、表示制御部９、メモリ９１の機能を制御部８の構成（ＣＰＵ８１や記憶部８３）に代用させても良い。
【００６５】
ここで、操作パネル１で設定可能な機能について列挙しておく。設定可能な機能は、多岐にわたり、その設定画面Ｓの種類は多数にわたるため、便宜上、図示を避け、設定できる機能を列挙するに留める。
【００６６】
まず、複合機１００をコピーとして利用する場合、設定画面Ｓへの入力により、例えば、原稿の画質確認機能（文字、写真、文字＋写真）、コピー濃度変更機能（マニュアル調整、白動濃度調整）、白動用紙選択機能（等倍、変倍）、白動倍率選択機能、等倍コピー機能、拡大・縮小（ズーム）コピー機能、固定変倍機能、たてよこ独立変倍機能、エコプリント機能、とじしろ機能、センター移動機能、枠消し機能、片面コピー機能、両面コピー機能（片面→両面、両面→両面、見開き→両面）、分割コピー機能（両面→片面、見開き→片面）、小冊子機能、表紙付け機能、ＯＨＰ合紙印刷機能、用紙選択機能、原稿セット向き確認機能、ソート機能、仕分けコピー機能、白黒反転機能、鏡像印刷機能、ページ付け機能、イメージ合成機能、集約機能（２ｉｎ１、４ｉｎ１等）、書き込み余白機能、連続読込一括印刷機能、試しコピー機能、再コピー機能、フォーム管理機能（フォームの登録）、画像データの蓄積共有ボックス機能、ジョブ結合ボックス機能、割り込み印刷機能、管理機能（枚数カウント等）、後処理装置（フィニッシャー）が装着される場合のステープル設定機能やパンチ設定機能等の機能設定を行える。
【００６７】
次に、複合機１００をプリンタとして利用する場合、液晶表示部７に表示される設定画面Ｓへの入力により、例えば、複合機１００の累計印刷枚数等のステータス印刷機能、Ｉ／Ｆ部８５による複合機１００と外部のコンピュータ２００の接続設定機能（パラレル、シリアル、通信速度、ＩＰアドレス等）、エミュレーション機能、使用フォント設定機能、印刷環境に関する機能（印刷枚数、用紙サイズ、拡大・縮小、印刷領域拡大等）、印刷品質に関する機能（スムージング処理、エコプリント、解像度等）、用紙に関する機能（サイズ、給紙元、両面印刷の可否等）、複合機１００に装着されるＲＡＭ、ＨＤＤ、メモリカード等の記憶装置の使用設定機能、管理機能（枚数カウント等）等の機能設定を行える。
【００６８】
次に、複合機１００をスキャナとして利用する場合、液晶表示部７に表示される設定画面Ｓへの入力により、例えば、原稿サイズ確認機能、送信サイズ選択機能、読み込み解像度選択機能、原稿セット向き確認機能、保存ファイル形式選択機能、読み込み画質に関する機能（読み込み濃度、カラーモード選択、画像データの圧縮率、写真や文字等の原稿の画質）、分割機能、枠消し機能、ページ毎出力機能、連続読み込み機能、ファイル名入力機能、センター移動機能、送信先選択機能、送信先登録機能、パスワード機能、Ｅメール送信機能、相手方受信確認機能等の機能設定を行える。
【００６９】
次に、複合機１００をＦＡＸとして利用する場合、液晶表示部７に表示される設定画面Ｓへの入力により、例えば、自局情報登録機能（ＦＡＸ番号、ＩＤ等）、ダイレクト送信機能、メモリ送信機能、回転通信機能（送信、受信）、一括送信機能、Ｆコード通信機能、用紙切れ時受信機能、短縮番号機能、原稿濃度選択機能、原稿サイズ指定機能、送信先選択機能、送信先登録機能、ワンタッチダイヤル機能（送信、登録、変更）、リダイヤル機能、両面送信機能、拡大・縮小送信機能、送信予約機能、順次同報通信機能、割込送信機能、時刻指定通信機能、ポーリング通信機能、中継送信機能、受信画像データの転送機能、暗号通信機能、管理機能（送信制限、枚数カウント等）、通信結果通知機能、用紙サイズ確認機能、集約機能（２ｉｎ１等）、両面受信機能等の機能設定を行える。
【００７０】
このように、複合機１００で設定可能な機能が多岐にわたる。従って、複合機１００の設定に慣れるには時間がかかる。一方、複合機１００の買い換えや、Ｉ／Ｆ部８５からバージョンアップ後の設定画面Ｓの画像データの複合機１００への入力等によって、複合機１００での設定画面Ｓのバージョンアップがあれば、使用者は、慣れていない状態で、操作パネル１への各機能の設定の入力を行わなくてはならない。しかし、慣れていないために、設定方法が分からない場合が生じ得る。あるいは、設定に時間を要する場合がある。そこで、本実施形態の複合機１００では、切替キー１６により、液晶表示部７に表示される設定画面Ｓのバージョンを切替ることができる。この切替によって、使用者は慣れ親しんだデザインの設定画面Ｓを利用して各種設定を行うことができる。
【００７１】
尚、各バージョンの設定画面Ｓの画像データは、例えば、メモリ９１に記憶させておくことができる。又、メモリ９１に全バージョンの設定画面Ｓの画像データを記憶させず、本体の記憶部８３に全バージョンの設定画面Ｓの画像データを記憶させておき、利用するバージョンの設定画面Ｓの画像データを読み出して、メモリ９１に記憶させても良い。又、切替キー１６は、図２に示すように、ハードキーとして設けても良いし、液晶表示部７に切替キー１６を表示させても良い。即ち、入力部として設定画面Ｓに表示され、押下されたキーを特定するためのタッチパネル部７０を有し、切替キー１６は、液晶表示部７に表示され、又は、液晶表示部７とは別に設けられる。
【００７２】
（バージョンの切替）
そこで、図４乃至図６を用いて、本発明の第１の実施形態に係る設定画面Ｓのバージョンの切替の一例を説明する。図４は、本発明の第１の実施形態に係る設定画面Ｓの基準バージョンでの設定の一例を示す説明図である。図５、図６は、本発明の第１の実施形態に係る設定画面Ｓの基準バージョン以外のバージョンでの設定の一例を示す説明図である。
【００７３】
尚、本実施形態では、切替キー１６の押下により、バージョンを全体的に変更する場合の例を説明する。又、実例として、複合機１００における様々な機能の例を挙げることができ、多数の機能について例示できるが、設定する機能が異なるだけで、基本的に同様であり、又、煩雑となることを防ぐため、便宜上、コピーにおける集約機能の設定での例を一例に挙げる。又、集約機能の設定は、いずれのバージョンでも、全て、液晶表示部７に表示された設定画面Ｓを押下して行われる。
【００７４】
まず、図４を用いて、基準バージョンでの集約機能の設定の一例を説明する。尚、本説明では、基準バージョンは、使用している機種の最新バージョンである（例えば、バージョンアップがあれば、バージョンアップ後）。
【００７５】
図４の上段の図は、コピーキー１２を押下した際に表示される基準バージョンの設定画面Ｓ１１の一例である。図４の上段に示すように、多数のコピーに関する設定を操作パネル１で行える。尚、コピーキー１２を押した際に、設定画面Ｓ１１に表示されるキーは、使用者の設定によって、さらに追加することが可能である。尚、図４では、押下されたキーは、反転表示（黒地に白文字）の状態で示している（以下、同様）。
【００７６】
そして、設定画面Ｓ１１に表示されたページ集約キーＫ１１を押下すると、設定画面Ｓ１１は、図４の下段に示す設定画面Ｓ１２に切り替わる。設定画面Ｓ１２では、ページ集約機能に関する設定を行える。設定画面Ｓ１２では、プレビュー表示領域Ｆ１１が設けられる。プレビュー表示領域Ｆ１１の右側には、１枚の用紙に２ページを含める集約を行う際に押下される２ｉｎ１キーＫ１２と１枚の用紙に４ページを含める集約を行う際に押下される４ｉｎ１キーＫ１３が配される。
【００７７】
又、設定画面Ｓ１２では、ページの配列を設定するためのページ配列設定領域Ｆ１２が設けられる。更に、ページ配列設定領域Ｆ１２の右側には、ページとページの境界線の有無や境界線の線種（例えば、実線、破線等）を設定するための境界線キーＫ１４が設けられる。例えば、境界線キーＫ１４が押下されると、境界線の線種を選択するための別ウィンドウ（不図示）が表示される。そのウィンドウ内に表示された線を押下して選択することで、境界線の設定を行うことができる。又、境界線キーＫ１４の下方には、原稿のセット向きを設定するための原稿セット向きキーＫ１５が設けられる。例えば、原稿セット向きキーＫ１５が押下されると、原稿のセット向きを選択するための別ウィンドウ（不図示）が表示され、使用者は、原稿のセット向きを設定できる。
【００７８】
そして、設定画面Ｓ１２の下方に配されるＯＫキーＫ１６を押下すれば、集約に関する設定が完了し、表示制御部９を介し、制御部８に受け付けられる。又、キャンセルキーＫ１７が押下されると集約機能の設定がキャンセルされる。ＯＫキーＫ１６やキャンセルキーＫ１７が押下されると、例えば、設定画面Ｓ１１に表示が切り替えられる。
【００７９】
次に、図５を用いて、基準バージョンよりも古いバージョンでの集約機能の設定の一例を説明する。尚、図５に示すバージョンは、基準バージョンよりも古い。基準バージョンでの図面では、グレー階調を駆使した画面となっていたが、図５に示すバージョンは、原則として、白黒２値画面となる。尚、図５に示すバージョンは、図６に示すバージョンよりも新しいので、便宜上、図５に示すデザインのバージョンを、以下では、中間バージョンという。
【００８０】
図５の上段の図は、コピーキー１２を押下した際に表示される設定画面Ｓ２１の一例である。図５の上段に示すように、多数のコピーに関する設定を操作パネル１で行える。そして、前キーＫ２１や下キーＫ２２を押下したり、設定画面Ｓの下方に表示されるタブを選択して、表示されるキーを切り替えることができる。
【００８１】
そして、設定画面Ｓ２１に表示されたページ集約キーＫ２０を押下すると、設定画面Ｓ２１は、図５の下段に示す設定画面Ｓ２２に切り替わる。設定画面Ｓ２２では、ページ集約機能に関する設定を行える。設定画面Ｓ２２では、左端部分に、２ｉｎ１キーＫ２３や２ｉｎ１キーＫ２４が設けられる。又、ページのレイアウトを行うためのページ配列設定領域Ｆ２１が中央に設けられる。又、ページとページの境界線の有無や境界線の線種（例えば、実線、破線等）を設定するための境界線キーＫ２５ａ〜２５ｄが設けられる。
【００８２】
そして、設定画面Ｓ２２の上方に配されるＯＫキーＫ２６を押下すれば、集約に関する設定が完了し、表示制御部９を介し、制御部８に受け付けられる。又、キャンセルキーＫ２７が押下されると集約機能の設定がキャンセルされる。ＯＫキーＫ２６やキャンセルキーＫ２７が押下されると、例えば、設定画面Ｓ２１に表示が切り替えられる。
【００８３】
次に、図６を用いて、最も古いバージョンでの集約機能の設定の一例を説明する。尚、図６に示すバージョンは、本実施形態で用意された３つのバージョンのうち、最も古い。そのため、昔の機種での液晶表示部７の解像度の低さを反映し、文字のドットが荒さが現れている。尚、図６に示すバージョンは、本実施形態の複合機１００に搭載されたバージョンのうち最も古いので、便宜上、以下では、「初期バージョン」という。
【００８４】
図６の上段の図は、コピーキー１２等を押下した際に表示される設定画面Ｓ３１の一例である。尚、初期バージョンが搭載されていた機種では、設定画面Ｓ３１に表示される各キーが、それぞれ操作パネル１上に独自のキー（ハードキー）として設けられていた。しかし、基準バージョンを搭載する本実施形態の複合機１００には、コスト、スペース等の観点から、これら独自のキーは設けない。従って、設定画面Ｓ３１は、ハードキーの配列を模した画面である。例えば、ページ集約キーＫ３１は、液晶表示部７に表示され、独自に操作パネル１上に設けられない。
【００８５】
そして、設定画面Ｓ３１に表示された集約キーＫ３１を押下すると、設定画面Ｓ３１は、図５の中断に示す設定画面Ｓ３２に切り替わる。設定画面Ｓ３２では、下方に、左カーソルキーＫ３２、右カーソルキーＫ３３、下カーソルキーＫ３４、上カーソルキーＫ３５、ＯＫキーＫ３６が設けられる（設定画面Ｓ３２の下方に示す設定画面Ｓ３３も同様）。各カーソルキーやＯＫキーＫ３６の上方に、行的に、２ｉｎ１キーＫ３７が配される。４ｉｎ１に関してＺ型に各ページが配列される４ｉｎ１キーＫ３８ａ、Ｎ型に各ページが配列される４ｉｎ１キーＫ３８ｂの２つのキーが配される。
【００８６】
例えば、設定画面Ｓ３２では、上カーソルキーＫ３５や下カーソルキーＫ３４を押下することで、２ｉｎ１キーＫ３７等の左方に配される横向き矢印が移動する。そして、使用者は、横向き矢印をあわせた後、ＯＫキーＫ３６を押下することで、所望のページ集約の機能を選択できる。又、テンキー部１０の数字の１〜３の何れかを押しても所望のページ集約の機能を選択することができる。
【００８７】
ページ集約の種類を選択すれば、設定画面Ｓ３２は、設定画面Ｓ３３に切り替わる。設定画面Ｓ３３は、初期バージョンでの境界線の設定を行うことができる。設定画面Ｓ３３でも、上カーソルキーＫ３５や下カーソルキーＫ３４を押下することで、線種の左方に配される横向き矢印が移動する。そして、使用者は、横向き矢印をあわせた後、ＯＫキーＫ３６を押下することで、所望の境界線の線種を選択できる。又、テンキー部１０の数字の１〜３の何れかを押しても所望の境界線の線種を選択することができる。
【００８８】
そして、設定画面Ｓ３３の下方に配されるＯＫキーＫ３６を押下すれば、集約に関する設定が完了し、表示制御部９を介し、制御部８に受け付けられる。このように、初期バージョンでは、ページ集約の設定に要する入力数が、中間バージョンや基準バージョンよりも多くなっている。
【００８９】
これらの設定画面Ｓの各バージョンは、切替キー１６で任意に切り替えることができる。これにより、初期バージョンや中間バージョンの機種を使用していた使用者が、基準バージョンの機種に更新しても、とまどうことなく設定を行うことができる。尚、各図に示すように、切替キー１６は、液晶表示部の一部に表示される形態でもよいし、図２、図３で示すように、ハードキーとして設けられても良い（いずれか一方でよい）。操作パネル１のメモリ９１には、基準バージョンと、基準バージョンよりも古い２つ以上のバージョンで、機能を設定するための設定画面Ｓの画像データが記憶される。又、操作パネル１は、設定入力を受け付けるためのタッチパネル部７０や各種キーや、画像データに基づいて設定画面Ｓを表示する液晶表示部７や、表示する設定画面Ｓのバージョンの切替を行うための切替キー１６を有する。
【００９０】
（デモ表示）
次に、図７、図８に基づき、本発明の第１の実施形態に係る複合機１００でのデモ表示を説明する。図７、図８は、本発明の第１の実施形態に係る複合機１００でのデモ表示の一例を示す説明図である。
【００９１】
まず、デモ表示は、使用者に基準バージョンでの各機能の設定方法を学習させ、使用者に基準バージョンでの操作に慣れるようにするためのものである。又、デモ表示は、中間バージョンや初期バージョンの設定画面Ｓを利用して機能設定がなされ、ジョブが実行された場合に表示される。即ち、基準バージョンよりも古いバージョンの設定画面Ｓを用いてタッチパネル部７０や各種キーに設定入力がなされた場合、メモリ９１は、古いバージョンの設定画面Ｓを用いて設定された機能を記憶し、液晶表示部７は、古いバージョンの設定画面Ｓを用いて設定された機能を、基準バージョンでの設定方法を示すデモ表示を行う。図７は、例えば、設定された機能がページ集約機能の１つのみの場合に液晶表示部７に表示されるデモ表示の一例を示す。更に、ページ集約機能の４ｉｎ１機能設定が、なされた場合のデモ表示の一例を示す。
【００９２】
デモ表示では、画面の上部に「デモ」の文字が表示され、デモ表示で有る旨が示される。更に、デモ表示では、例えば、基準バージョンの設定画面Ｓと、設定画面Ｓでの設定方法を教示する画像、文字等が表示される。図７、図８の例では、押すべきキーの位置を指し示すための手形図形Ｈと、説明用テキストを含んだ吹き出しＭが設定方法を教示するための図形として表示される。図７のデモ表示では、設定画面Ｓ１１でページ集約キーＫ１１を押すべき旨を表示した後（例えば、数秒後）、設定画面Ｓ１２に切り替わり、４ｉｎ１キーＫ１３と、ページの配列を指定するキーを選択すべき旨の手形図形Ｈと吹き出しＭが表示される。これにより、基準バージョンでの設定に慣れていない使用者に設定方法を示すことができる。
【００９３】
図８は、複数のデモ表示が並列的に行われる場合の例を示す。図８では、コピーを行う際に、画像の大きさを変化させる拡大／縮小機能、ページ集約機能、印刷物の濃度を設定するための濃度設定機能、複数ページを１枚に、或いは、１ページを複数に分割する両面／分割機能、印刷に用いる用紙のサイズを選択する用紙選択機能の５つの機能の設定がなされた場合の例を示している。
【００９４】
液晶表示部７では、表示領域を分割して、複数のデモ表示を同時に行うことができる。例えば、図８に示すように、液晶表示部７の表示領域は４分割され、分割された各領域で各機能のデモ表示がなされる。即ち、古いバージョンの設定画面Ｓで設定された機能が複数である場合、液晶表示部７は、表示領域を分割し、複数のデモ表示を同時に表示する。図８の上段では、拡大縮小機能、ページ集約機能、濃度設定機能、両面／分割機能の４つの機能について、それぞれデモ表示が表示される例を示している。尚、表示領域の分割数は、４つ以下（例えば、２つ）でもよいし、４つよりも多くても良い。しかし、液晶表示部７のサイズを考慮し、デモ表示が使用者にとって見辛くならない程度に留めることが好ましい。
【００９５】
そして、残る用紙選択機能については、上記の４つの機能のデモ表示が終了してからなされる。即ち、古いバージョンの設定画面Ｓで設定された機能が表示領域の分割数よりも多い場合、液晶表示部７は、表示領域を分割して、複数のデモ表示を同時に表示するとともに、デモ表示が終わった表示領域で、まだデモ表示を行っていない機能のデモ表示を行う。尚、各デモ表示が終わるまでの長さに差が有る場合、最初にデモ表示が終わった領域に、まだデモ表示を行っていない用紙選択機能のデモ表示が行われても良い。尚、４つのデモ表示がいずれも終わってから、用紙選択機能のデモ表示がおこなわれてもよい。
【００９６】
例えば、デモ表示は、１つあたり数秒表示される。そして、数秒表示されている間に、例えば、手形図形Ｈと吹き出しＭが現れる。そして、表示すべき手形図形Ｈや吹き出しＭの全てが表示され、その後、より下層の設定画面Ｓでの設定方法を教示するデモ表示に切り替わる。そして、各デモ表示は、コピー、スキャン、ＦＡＸ等の各機能の設定完了後、スタートキー１１が押下され、各機能の実行が開始された後になされる。例えば、コピー機能を利用している場合、原稿読み取りや印刷中に、デモ表示がなされる。
【００９７】
ここで、図７や図８に示すように、各デモ表示中には、中断キー１７が表示される。中断キー１７は、デモ表示を中断する際に使用者に押下される。これにより、使用者は、デモ表示を途中で停止させ、デモ表示を行わせないようにできる。即ち、デモ表示を中断させるための中断キー１７が、液晶表示部７に表示され、中断キー１７が押下された場合、液晶表示部７は、デモ表示を中断する。従って、例えば、コピーが１枚のみの場合など、ジョブが、デモ表示よりも先に完了する場合、次の使用者は、デモ表示が終了するまで待たずに、自己のジョブの設定を行うことができる。
【００９８】
（デモ表示の設定）
次に、図９に基づき、本発明の第１の実施形態に係る複合機１００でのデモ表示の設定の一例を説明する。図９は、本発明の第１の実施形態に係る液晶表示部７で表示されるバージョンを設定するための設定画面Ｓの一例を記す説明図である。
【００９９】
図９に示すように、本実施形態の複合機１００では、デモ表示について設定を行うことができる。例えば、デモ表示設定画面Ｓ４のうち、左方のデモ表示設定領域Ｆ４１では、デモ表示を行うか否かを設定するための表示キーＫ４１と非表示キーＫ４２が設けられる。即ち、液晶表示部７は、デモ表示を行うか否かを設定するためのキー（表示キーＫ４１と非表示キーＫ４２）を表示するとともに、デモ表示を行う設定がタッチパネル部７０になされた場合にのみデモ表示を行う。又、コピーキー１２等の機能選択キーを押下した際に、最初に表示される初期の設定画面Ｓ（最上層の設定画面Ｓ）のバージョンも設定することができる。尚、バージョンは、切替キー１６によって切替可能である。
【０１００】
更に、デモ表示設定画面Ｓ４の内、右方の上限回数設定領域Ｆ４２では、１つの機能（機能、例えば、ページ集約機能）あたり、デモ表示を行う上限回数を設定することができる。例えば、使用者は、上限回数と記されたバー（上限回数バーＢ４１）を押下した後、テンキー部１０で数字を入力することにより、デモ表示の上限回数（例えば、０〜９９９回）を設定することができる（図９の例では５回）。又、デモ表示を表示した回数が上限回数に到達した機能について、上限回数に到達した後もデモ表示を行うか否かを有キーＫ４３や無キーＫ４４を押下することにより、設定することができる。もし、有キーＫ４３が押下されていれば、上限回数に達してもデモ表示が行われる。一方、無キーＫ４４が押下されていれば、上限回数に達した機能については、デモ表示が行われない。即ち、メモリ９１は、機能ごとにデモ表示を行った累計回数を記憶し、液晶表示部７は、予め定められた上限回数までデモ表示が行われた機能のデモ表示を行わない。言い換えると、メモリ９１は、機能ごとにデモ表示を行った累計回数を記憶し、液晶表示部７は、予め定められた上限回数までデモ表示を行った機能について、デモ表示を続けて行うか否かの確認を行うためのキー（有キーＫ４３、無キーＫ４４）を表示し、デモ表示を行わない設定がタッチパネル部７０になされたとき、予め定められた上限回数までデモ表示が行われた機能のデモ表示を行わない。
【０１０１】
そして、デモ表示設定画面Ｓ４になされたデモ表示の設定の内容は、メモリ９１内に記憶される。又、各機能についてデモ表示を行った回数も、例えば、操作パネル１のメモリ９１に記憶される。そして、表示制御部９は、メモリ９１内のデモ表示の設定の内容を示すデータや、各機能のデモ表示を行った回数に基づき、表示制御部９は、液晶表示部７でのデモ表示を行うか否かを確認する。
【０１０２】
（操作パネル１の表示制御）
次に、図１０に基づき、本発明の第１の実施形態に係る操作パネル１での表示制御の一例を説明する。図１０は、本発明の第１の実施形態に係る操作パネル１での表示制御の一例を示すフローチャートである。
【０１０３】
まず、図１０のスタートは、複合機１００の主電源が投入され、複合機１００が使用者の入力を受け付け、待機している状態である。この状態で、表示制御部９は、デモ表示設定画面Ｓ４等でなされたデフォルトとして設定されたバージョンでの初期画面を表示させる（ステップ♯１）。そして、表示制御部９は、切替キー１６が押下されたかを確認する（ステップ♯２）。もし、切替キー１６が押下されれば（ステップ♯２のＹｅｓ）、表示制御部９は、メモリ９１から現在表示しているバージョンと異なるバージョンの設定画面Ｓの画像データを読み出して、液晶表示部７に表示するバージョンの切替を行わせる（ステップ♯３）。例えば、複数回、切替キー１６が連続して押下された場合、基準→中間→初期→基準→中間・・・と、巡回的にバージョンが切り替えられる。
【０１０４】
そして、表示制御部９は、タッチパネル部７０の出力を確認して、使用者によって何らかのキーの押下がなされ、設定入力があったかを確認する（ステップ♯４）。もし、設定入力が無ければ（ステップ♯４のＮｏ）、例えば、ステップ♯２に戻る。一方、設定入力が有れば（ステップ♯４のＹｅｓ）、その入力がＯＫキーＫ１６〜３６等の押下である等、１つの機能について、機能の設定が完了されたかを確認する（ステップ♯５）。
【０１０５】
もし、１つの機能について、設定完了に至っていなければ（ステップ♯５のＮｏ）、下層の設定画面Ｓへの切り替えや、押下されたキーの表示の白黒を反転させる等、表示制御部９は、液晶表示部７に表示の切り替えを行わせる（ステップ♯６）。ステップ♯６の後は、例えば、ステップ♯２に戻る。
【０１０６】
もし、１つの機能について、設定完了に至っていれば（ステップ♯５のＹｅｓ）、表示制御部９は、スタートキー１１が押下されたかを確認する（ステップ♯７）。もし、スタートキー１１が押下されていなければ（ステップ♯７のＮｏ）、更に設定が行われる可能性が有るので、例えば、ステップ♯１に戻る。一方、スタートキー１１が押下され、複合機１００での印刷等の動作開始が指示されれば（ステップ♯７のＹｅｓ）、表示制御部９は、操作パネル１への入力で、使用者によりなされた機能を示すデータを本体の制御部８に伝達し、その機能にあわせて、制御部８は、複合機１００での動作（例えば、印刷処理）を制御する（ステップ♯８）。例えば、コピーキー１２が押下され、コピーを行う設定がなされていれば、原稿読み取りと印刷がなされる。
【０１０７】
その後、表示制御部９は、液晶表示部７に設定された内容につき、デモ表示を行わせる（ステップ♯９）。即ち、デモ表示は、印刷中等になされる。そして、複合機１００での動作とデモ表示が完了する（ステップ♯１０→エンド）。そして、例えば、再び、ステップ♯１から、表示制御が開始される。
【０１０８】
このようにして、本実施形態の操作パネル１では、表示する設定画面Ｓのバージョンの切替を行うための切替キー１６を有するので、基準バージョンよりも古いバージョンの設定画面Ｓを容易に表示させることができる。従って、使用者が新しい基準バージョンでの設定方法に慣れていなくても、使用者は旧バージョンの設定画面Ｓにより各種設定を行うことができる。これにより、使用者の操作性が低下することを防ぐことができる。又、例えば、使用者には、１世代前の機種を使用していた者もいれば、２世代前、３世代前の機種を使用していた者もおり多様であるところ、基準バージョンに対し、複数種の旧バージョンでの設定画面Ｓを表示させることができる。これにより、使用者が交換前に使用していた機種や製造年代を問わず、時間的に幅広く使用者の操作性低下を防ぐことができる。尚、例えば、基準バージョンは、使用している機種の最新バージョンであっても良い（例えば、バージョンアップがあれば、バージョンアップ後）のバージョンとしてもよい。
【０１０９】
又、基準バージョンでの設定方法を示すデモ表示が行われるので、基準バージョンでの操作を学ぶことができる。これにより、使用者の基準バージョンでの設定方法を慣れさせることができ、基準バージョンでの操作性が高められる。又、同時に表示すべきデモ表示の種類が多数の場合、１つの機能ごとにデモ表示を行えば、全てのデモ表示が終わるまで時間を要するところ、この構成によれば、表示部（例えば、液晶表示部７）は、表示領域を分割し、複数のデモ表示を同時に表示する。これにより、使用者は、効率よくデモ表示を確認し、効率よく学習でき、デモ表示の閲覧に要する時間を少なくすることができる。又、デモ表示が終わった領域で、まだデモ表示を行っていない機能のデモ表示が行われるので、効率よく多数のデモ表示が行われる。これにより、使用者は、効率よくデモ表示を確認して効率よく学習でき、デモ表示の閲覧に要する時間を少なくすることができる。
【０１１０】
又、デモ表示を中断させるための中断キー１７が設けられるので、デモ表示を表示させないようにすることができる。これにより、デモ表示を不要と感じている使用者が煩わしさを感じないようにすることができる。又、デモ表示を中断して、次のジョブ等の設定に速やかに移行でき、使用者はデモ表示終了まで待たなくて済む。又、表示部（例えば、液晶表示部７）は、予め定められた上限回数までデモ表示が行われた機能については、デモ表示を行わないので、使用者が学習したと認められる機能でのデモ表示を自動的に停止させることができる。これにより、使用者は、既に慣れた機能のデモ表示が表示されるたびに停止させる入力等を行う必要が無くなる。
【０１１１】
又、表示可否設定キー（例えば、表示キーＫ４１、非表示キーＫ４２）でデモ表示を行うか否かを設定することができるので、デモ表示について使用者の意思を反映させることができる。デモ表示を希望する使用者は、デモ表示を行う設定を行い、デモ表示を煩わしい等の理由で希望しない使用者はデモ表示を行わない設定とすればよい。又、デモ表示を行わない設定が入力部（例えば、タッチパネル部７０）になされたとき、予め定められた上限回数までデモ表示が行われた機能のデモ表示を行わないので、使用者の感覚に基づき、デモ表示を行うか否かを決定することができる。これにより、設定方法がわかりにくいと感じている機能についてのみ、デモ表示がなされ、使用者は、デモ表示が表示されるたびに停止させる入力等を行う必要が無くなる。
【０１１２】
又、入力部は、設定画面Ｓに表示され、押下されたキーを特定するためのタッチパネル部７０であり、切替キー１６は、表示部（例えば、液晶表示部７）に表示され、又、表示部とは別に設けられる。このように切替キー１６によって、バージョンの切替を行うことができる。又、たとえ画像形成装置（例えば、複合機１００）が導入されて間もなくても、使用者はスムーズに設定を行え、操作性の低下のない画像形成装置を提供することができる。又、使用者は、基準バージョンへの速やかな移行を行うことができる。又、デモ表示は、印刷中になされるので、ジョブ印刷中の使用者の待ち時間になされる。従って、使用者の待ち時間を有意義なものとすることができる。
【０１１３】
（第２の実施形態）
次に、図１１を利用して第２の実施形態を説明する。図１１は、本発明の第２の実施形態に係る液晶表示部７で表示されるバージョンを設定するための設定画面Ｓの一例を記す説明図である。本実施形態は、第１の実施形態と、操作パネル１に表示される設定画面Ｓのバージョンを全体的に変更するのではなく、機能ごとにバージョンを異ならせて表示を行う例を説明する。即ち、液晶表示部７は、機能ごとにバージョンを変えて表示する。尚、その他、複合機１００の構成や、操作パネル１での操作、設定方法等、ほとんど第１の実施形態と同様でよく、本実施形態の説明では、第１の実施形態と異なる部分を述べ、共通する点については、原則として、説明、図示を省略する。
【０１１４】
例えば、図１１に示すように、本実施形態に係るデモ表示設定画面Ｓ５では、更に、機能ごとに、バージョンを混在させるか設定するためのバージョン混在設定領域領域Ｆ５１が設けられる。バージョン混在設定領域には、自動バージョンアップバーＢ５１とその右方に有キーＫ５１と無キーＫ５２とが設けられる。
【０１１５】
もし、有キーＫ５１が押下されていれば、例えば、表示制御部９は、上限回数までデモ表示を行った機能については、上限回数だけ機能の設定が行われ、次の機能設定時には、表示するバージョンを上げる（バージョンアップ）。例えば、デフォルトの表示バージョンが中間バージョンであり、ある機能のデモ表示が上限回数行われれば、その機能については、基準バージョンに切り替える。例えば、デフォルトの表示バージョンが中間バージョンであるため、コピーキー１２が押下されると、図５の設定画面Ｓ２１が表示される。そして、例えば、ページ集約機能のデモ表示が５回に達すると、次に、中間バージョンの設定画面Ｓ２１でページ集約キーが押下された場合、表示制御部９は、基準バージョンのページ集約の設定画面Ｓ１２の表示を液晶表示部７に行わせる。
【０１１６】
尚、本説明では、上限回数に到った場合、自動的にバージョンアップする例を示すが、必ずしも上限回数と自動バージョンアップを行うまでの機能の設定回数を一致させる必要はない。そのため、別途、設定用のキーや、自動的にバージョンアップを行う回数を表示するようにしてもよい。即ち、メモリ９１は、それぞれのバージョンで、機能が設定された回数を記憶し、１つのバージョンでの同一の機能の設定回数が、予め定められたバージョンアップ回数に到った場合、液晶表示部７は、バージョンアップ回数に到った機能については、次の機能設定時、直前の設定時よりも新しいバージョンの設定画面Ｓを表示する。
【０１１７】
又、バージョン混在設定領域領域Ｆ５１には、自動バージョンダウンバーＢ２とその右方に有キーＫ５３と無キーＫ５４とが設けられる。有キーＫ５３が選択され、自動バージョンダウンを行う設定をしている場合、１つのキーが押下されてから、次のキーが押下されるまでの時間（以下、押下間隔）を例えば、計時部９２が計時する。もし、押下間隔が予め定められた限界の時間（限界時間）を超えた場合、使用者は、その機能については、まだ慣れていないと認められる。そこで、表示制御部９は、機能ごとに、押下間隔を、計時部９２を用いて確認する。尚、「限界時間」は、任意に設定できるが、短すぎれば（例えば、１秒未満）、慣れていても限界時間を超えてしまうことになり、長すぎれば（例えば、十数秒以上）、使用者が慣れていなくても操作を行えてしまう場合がある。そこで、限界時間は、例えば、数秒程度とできる。
【０１１８】
もし、押下間隔が、予め定められた限界時間を超えた場合、以後、その機能については次の機能設定の際、直前に表示していたバージョンよりもバージョンを落とす（バージョンダウン。尚、初期バージョンでの押下間隔が限界時間を超えてもバージョンは落とせない）。例えば、基準バージョンのページ集約機能の設定中、時間的な押下間隔が限界時間を超えれば、表示制御部９は、次のページ集約機能の設定がなされる際に、中間バージョンの設定画面Ｓ２２を表示する。これにより、使用者は、まだ慣れていないバージョンを用いての設定を強要されることがなく、操作性は低下しない。即ち、タッチパネル部７０や各種キーに設定の入力がなされてから、次にタッチパネル部７０や各種キーに設定の入力がなされるまでの時間を計時する計時部９２を有し、液晶表示部７は、先の設定入力から、次の設定入力がなされないままの状態が、予め定められた限界時間を超えた機能については、次の設定時、現在のバージョンよりも古いバージョンに切り替えて表示を行う。
【０１１９】
このように、本実施形態の操作パネル１の液晶表示部７では異なるバージョンが混在して表示されうる。従って、例えば、操作パネル１のメモリ９１が、どの機能（機能設定）は、どのバージョンで表示するかを記憶しておく。そして、表示制御部９が、メモリ９１を参照して液晶表示部７に表示すべきバージョンで各機能の設定画面Ｓを表示させる。更に、各機能の表示でのバージョンは、使用者の慣れの度合によって、自動的に変化する。
【０１２０】
このようにして、本実施形態の操作パネル１は、機能ごとに、バージョンを変えて表示できるので、未だ慣れていない機能については旧バージョン、既に慣れた機能については基準バージョンというように、使用者の慣れ度合を考慮しつつ表示部で設定画面Ｓの表示がなされる。これにより、使用者の操作性の低下を招くことなく、基準バージョンへの移行を行うことができる。又、表示部（例えば、液晶表示部７）は、デモ停止回数に到った機能については、デモ停止回数に到ったバージョンよりも古いバージョンの設定画面Ｓは表示しない。これにより、自動的に基準バージョンへのバージョンアップが導かれ、基準バージョンへの移行を自動的に進めることができる。又、先の設定入力から、次の設定入力がなされないままの状態が、予め定められた限界時間を超え、使用者が慣れておらず、設定に手間取っていると認められる場合、表示部（例えば、液晶表示部７）は、現在のバージョンよりも古いバージョンに切り替えて表示を行う（自動バージョンダウン）。これにより、自動的に使用者の慣れ度合を勘案して設定画面Ｓを切り替えることができる。例えば、基準バージョンでとまどっていると認められる場合、表示部は、基準バージョンよりも古いバージョンで表示を行う。
【０１２１】
（第３の実施形態）
次に、図１２を利用して第３の実施形態を説明する。図１２（ａ）は、本発明の第３の実施形態に係る複合機１００を利用する使用者を特定するための認証画面Ｓ６の一例であり、（ｂ）は、本発明の第３の実施形態に係る液晶表示部７で表示されるバージョンを設定するための設定画面Ｓの一例を記す説明図である。
【０１２２】
本実施形態は、第１の実施形態や第２の実施形態を応用したものであり、使用者ごとに異なる設定画面Ｓの表示が液晶表示部７で行われる点で異なる。これにより、各使用者の習熟度に合わせて機能ごとにバージョンを異ならせて表示が行われる。尚、その他、複合機１００の構成や、操作パネル１での操作、設定方法等は、第１、第２の実施形態と同様でよく、本実施形態の説明では、第１、第２の実施形態と異なる部分を述べ、共通する点については、原則として、説明、図示を省略する。
【０１２３】
図１２に示すように、本実施形態の複合機１００では、使用者は、使用する際に、認証を受けなければならない。そして、認証画面Ｓ６では、認証用データとして、ユーザ名（ＩＤ）と、パスワードの入力が要求される。そして、例えば、ユーザ名キーＫ６１や、パスワードキーＫ６２を押下すると、液晶表示部７には、認証画面Ｓ６の上面にソフトウェアキーボード（不図示）が表示される。そして、ソフトウェアキーボードを押下することで、ユーザ名やパスワードの入力が可能となる。
【０１２４】
そして、例えば、操作パネル１のメモリ９１内には、使用を認めても良い全ての者の認証用データが記憶される。もし、ＯＫキーＫ６３が押下されると、表示制御部９は、例えば、入力されたユーザ名とパスワードと同じデータがメモリ９１内の認証用データ内に有るかを確認する。同じデータが有れば、表示制御部９は、利用可能状態とすべき旨のデータ等を送信して、本体の制御部８に知らせる。一方、同じデータが無ければ、複合機１００は、利用不可の状態で維持される。尚、認証用データを本体側の記憶部８３や認証部８４に記憶させておくならば、表示制御部９は、入力されたユーザ名等を制御部８に送信し制御部８や認証部８４で認証が行われるようにしてもよい。この場合、液晶表示部７で各設定画面を表示し、操作パネル１に対する入力を受け付けて良いか否かを指示するデータが制御部８から表示制御部９に送信されることになる。
【０１２５】
このように、使用者が特定されるので、液晶表示部７で表示される設定画面Ｓのバージョンを、使用者ごとに設定可能としても良い。例えば、図１２（ｂ）に示すように、現在使用している使用者が例えば、液晶表示部７の下方に表示される。そして、使用者ごとに設定画面Ｓのバージョンを設定可能とし、操作パネル１のメモリ９１は、その使用者ごとの表示するバージョンの設定やデモ表示の必要の有無を記憶する。そして、表示制御部９は、使用者ごとに表示する設定画面Ｓのバージョンを変える。例えば、自動バージョンアップや自動バージョンダウンが、使用者ごとに反映される。
【０１２６】
又、図１２（ａ）の認証画面Ｓ６で示されるように、カードを読取部８６に読み取らせることによって認証を行うためのカード認証キーＫ６４が配される。使用者は、カード認証キーＫ６４を押下し、ＩＣカードや磁気カードを読み取らせる。これにより、制御部８は、使用者を特定できる。その後、特定された使用者を示すデータを表示制御部９に送信する。その結果、表示制御部９は、液晶表示部７に使用者に応じたバージョンで設定画面Ｓを表示させることができる。
【０１２７】
又、使用者ごとに、デモ表示を行うか否かのデータや、デモ表示を行う上限回数のデータが操作パネル１のメモリ９１に記憶される。そして、表示制御部９は、メモリ９１に記憶されたデータに基づき、液晶表示部７でのデモ表示の制御を行う。即ち、タッチパネル部７０や各種キーは、使用者を特定するための認証情報の入力を受け付け、メモリ９１は、使用者ごとに、表示するバージョンとデモ表示の必要性の有無を記憶する。
【０１２８】
このようにして、本実施形態の発明によれば、記憶部８３は、使用者ごとに、表示するバージョンとデモ表示の必要性の有無を記憶する。これにより、各使用者の操作、設定の慣れ度合に合わせて表示部での表示を行うことができる。
【０１２９】
以下、他の実施形態について説明する。上述の実施形態では、画像形成装置に装着された操作パネル１での液晶表示部７を例に挙げて説明した。しかし、表示するものは、液晶表示のものに制限されず、有機ＥＬやＣＲＴ等各種方式のものを採用することができる。
【０１３０】
又、本発明の実施形態を説明したが、本発明の範囲はこれに限定されるものではなく、発明の主旨を逸脱しない範囲で種々の変更を加えて実施することができる。
【産業上の利用可能性】
【０１３１】
本発明は、操作パネル１等の表示部と入力部を有する表示装置や、画像形成装置に利用可能である。
【符号の説明】
【０１３２】
１      操作パネル（表示装置）        １０    テンキー部（入力部）
１１    スタートキー（入力部）        １２    コピーキー（入力部）
１３    プリンタキー（入力部）        １４    スキャンキー（入力部）
１５    ＦＡＸキー（入力部）          １６    切替キー
７      液晶表示部（表示部）          ７０    タッチパネル部（入力部）
８４    認証部                        ９１    メモリ
９２    計時部                        １００  複合機（画像形成装置）
Ｓ（Ｓ１〜Ｓ６）    設定画面
【図１】
2011114847.tif 000003
【図２】
2011114847.tif 000004
【図３】
2011114847.tif 000005
【図４】
2011114847.tif 000006
【図５】
2011114847.tif 000007
【図６】
2011114847.tif 000008
【図７】
2011114847.tif 000009
【図８】
2011114847.tif 000010
【図９】
2011114847.tif 000011
【図１０】
2011114847.tif 000012
【図１１】
2011114847.tif 000013
【図１２】
2011114847.tif 000014